(57)【要約】【課題】包み紙を携帯していることを把握するとともに、一度に多数個のガムが流出するのを防止する。【解決手段】正面板４および背面板にそれぞれ貼着した糊代に内方側面板を連設して右側面板３との間に空間を形成し、この空間に包み紙１００を収容する。また、左右の側面板にそれぞれ連設する糊代に内方上面板１５を貼着して上面板側開口部を閉鎖する一方、正面板４の上面板側端部に取出口４ｘを形成する。さらに、背面板に上面板を、上面板に係止板１０を順に連設するとともに、上面板および係止板１０を接続板１６および係止片を介して一体化し、背面板に対して上面板を回動して正面板４の取出口４ｘを係止板１０によって開閉する。【選択図】図２
2010228769.tif 000002
【特許請求の範囲】
【請求項１】
下面板、左右の側面板、上面板、背面板および正面板を備えた包装容器において、正面板および背面板にわたって内方側面板を配設して左右一方の側面板との間に空間を形成するとともに、少なくとも左右他方の側面板または内方側面板に連設する内方上面板を介して上面板側開口部を閉鎖する一方、正面板の上面板側端部に取出口を形成し、また、上面板および係止板を接続板および係止片を介して一体に連結するとともに、背面板に直接または糊代を介して上面板を連設してなり、左右一方の側面板と内方側面板との空間に包み紙を収容するとともに、背面板に対して上面板を回動して正面板の取出口を係止板によって開閉することを特徴とする包装容器。
【請求項２】
下面板、左右の側面板、上面板、背面板および正面板を備えた包装容器において、正面板および背面板にわたって内方側面板を配設して左右一方の側面板との間に空間を形成するとともに、少なくとも左右他方の側面板または内方側面板に連設する内方上面板を介して取出口を残して上面板側開口部を閉鎖し、また、上面板および係止板を接続板および係止片を介して一体に連結するとともに、背面板に直接または糊代を介して上面板を連設してなり、左右一方の側面板と内方側面板との空間に包み紙を収容するとともに、背面板に対して上面板を回動して上面板側開口部の取出口を開閉することを特徴とする包装容器。
【請求項３】
請求項１または請求項２記載の包装容器において、内方側面板の少なくとも上下方向略中間部に切れ目が形成されるともに、切れ目によって区画された部分の先端縁が左右一方の側面板の裏面に接触することを特徴とする包装容器。
【発明の詳細な説明】
【技術分野】
【０００１】
本発明は、包装容器に関するものである。
【背景技術】
【０００２】
従来より、下面板、左右の側面板、上面板、背面板および正面板を備え、内部にタブレット状のガムを収容してなる包装容器が知られている。このような包装容器においては、必要に応じて正面板を開放操作し、内部に収容されたガムを正面板側開口部を通して取り出すようにしている。
【０００３】
ところで、包装容器にガムを収容する際、ガムを個別に包装することなく収容する場合がある。このため、ガムの噛みかすを廃棄する場合、ガムの包装紙が存在しないため、手持ちのティッシュペーパーを取り出して包み込む必要があり、取り扱いが煩雑であるという欠点があった。また、ガムの噛みかすが路上にポイ捨てされると、周囲の美観を損ねて見苦しいばかりでなく、路面に付着したガムの噛みかすを除去するため、多くの時間と費用を必要とするものとなる。
【０００４】
このため、出願人は、包装容器にガムの包み紙を収容するための空間を形成し、その空間に包み紙を予め収容しておき、ガムの噛みかすを廃棄する際に、包装容器に収容された包み紙を取り出し、ガムの噛みかすを包み紙によって包み込んで廃棄することを提案している（例えば、特許文献１参照）。
【先行技術文献】
【特許文献】
【０００５】
【特許文献１】特開２００６−２１８２１号公報
【発明の概要】
【発明が解決しようとする課題】
【０００６】
ところで、前述した包装容器においては、ガムの包み紙は、下面板と、該下面板に近接して配設された内面板とによって形成された空間に収容されている。したがって、購入したガムを取り出すため、正面板を開放操作した場合、収容されたガムが包み紙の上に積み重なって覆っており、予め包み紙が収容されている事実を把握することができないものであった。このため、購入当初は包み紙が収容されていることを把握することができないことから、ガムの噛みかすをティッシュペーパーなどに包み込んで廃棄するという煩わしい作業が必要になっていた。また、ときには、ガムの噛みかすが路上にポイ捨てされることも発生していた。
【０００７】
さらに、正面板は、下面板、左右の側面板、上面板によって形成される開口部を開閉することから、包装容器を傾けた場合、その開口部を通して必要以上の多数個のガムが一度に流出し、場合によっては手で受け止めることができずに床面などに散乱するという欠点があった。
【０００８】
本発明は、このような問題点に鑑みてなされたもので、ガムの包み紙を携帯していることを確実に把握することができるとともに、一度に多数個のガムの流出を抑えことのできる包装容器を提供するものである。
【課題を解決するための手段】
【０００９】
本発明は、下面板、左右の側面板、上面板、背面板および正面板を備えた包装容器において、正面板および背面板にわたって内方側面板を配設して左右一方の側面板との間に空間を形成するとともに、少なくとも左右他方の側面板または内方側面板に連設する内方上面板を介して上面板側開口部を閉鎖する一方、正面板の上面板側端部に取出口を形成し、また、上面板および係止板を接続板および係止片を介して一体に連結するとともに、背面板に直接または糊代を介して上面板を連設してなり、左右一方の側面板と内方側面板との空間に包み紙を収容するとともに、背面板に対して上面板を回動して正面板の取出口を係止板によって開閉することを特徴とするものである。
【００１０】
本発明によれば、コートボールを展開図にしたがって打ち抜いた後、折り目に沿って折り込むこととともに、所定部分を貼着して包装容器が組み立てられる。この際、内方側面板が糊代を介して背面板および正面板にわたって配設されることにより、左右一方の側面板との間に設定された空間が形成される。また、左右他方の側面板または内方側面板に連設された内方上面板によって上面板側開口部が閉鎖される一方、正面板に取出口が形成され、この取出口は、背面板に直接または糊代を介して連設された上面板を回動させることにより、接続板および係止片を介して上面板と一体化された係止板により開閉される。
【００１１】
この結果、左右一方の側面板と内方側面板との空間にガムの包み紙を収容して携帯することができるとともに、上面板を開放操作することにより、包み紙を携帯していることを確実に把握することができ、包み紙を取り出してガムの噛みかすを包み紙によって包み込んで廃棄することができる。また、正面板に取出口が形成されるため、左右の側面板、背面板および正面板からなる開口部に比較して開口面積を大きく減少させることができ、一度に流出するガムの個数を制限して適数個のガムを取り出すことができる。
【００１２】
本発明は、下面板、左右の側面板、上面板、背面板および正面板を備えた包装容器において、正面板および背面板にわたって内方側面板を配設して左右一方の側面板との間に空間を形成するとともに、少なくとも左右他方の側面板または内方側面板に連設する内方上面板を介して取出口を残して上面板側開口部を閉鎖し、また、上面板および係止板を接続板および係止片を介して一体に連結するとともに、背面板に直接または糊代を介して上面板を連設してなり、左右一方の側面板と内方側面板との空間に包み紙を収容するとともに、背面板に対して上面板を回動して上面板側開口部の取出口を開閉することを特徴とするものである。
【００１３】
本発明によれば、コートボールを展開図にしたがって打ち抜いた後、折り目に沿って折り込むこととともに、所定部分を貼着して包装容器が組み立てられる。この際、内方側面板が糊代を介して背面板および正面板にわたって配設されることにより、左右一方の側面板との間に設定された空間が形成される。また、左右他方の側面板または内方側面板に連設された内方上面板によって取出口を残して上面板側開口部が閉鎖され、この取出口は、背面板に直接または糊代を介して連設された上面板を回動させることにより開閉される。この際、接続板および係止片を介して上面板と一体化された係止板も回動する。
【００１４】
この結果、左右一方の側面板と内方側面板との空間にガムの包み紙を収容して携帯することができるとともに、上面板を開放操作することにより、包み紙を携帯していることを確実に把握することができ、包み紙を取り出してガムの噛みかすを包み紙によって包み込んで廃棄することができる。また、また、内方上面板によって左右の側面板、背面板および正面板からなる開口部を取出口を残して閉鎖することから、左右の側面板、背面板および正面板からなる開口部に比較して開口面積を大きく減少させることができ、一度に流出するガムの個数を制限して適数個のガムを取り出すことができる。
【００１５】
本発明において、内方側面板の少なくとも上下方向略中間部に切れ目が形成されるともに、切れ目によって区画された部分の先端縁が左右一方の側面板の裏面に接触することが好ましい。これにより、左右一方の側面板と内方側面板との空間にガムの包み紙を収容した際に、包み紙を切れ目によって区画された部分の上端縁にそれ以上落下することなく支持することができる。
【発明の効果】
【００１６】
本発明によれば、ガムを取り出すために上面板を回動操作すれば、ガムの包み紙を携帯していることを把握することができ、収容された包み紙によってガムの噛みかすを包み込んで廃棄することが可能となる。また、一度に必要以上の流出を抑えて適数個のガムを取り出すことができる。
【図面の簡単な説明】
【００１７】
【図１】本発明の包装容器の一実施形態を示す斜視図である。
【図２】図１の包装容器の上面板を回動して示す斜視図である。
【図３】図１の包装容器の内方側面板を一部省略して示す斜視図である。
【図４】図３のＡ矢視図である。
【図５】図１の包装容器の展開図である。
【図６】図１の包装容器の組立工程を示す説明図である。
【図７】図１の包装容器の組立工程を示す説明図である。
【図８】図１の包装容器の組立工程を示す説明図である。
【図９】図１の包装容器の組立工程を示す説明図である。
【図１０】図１の包装容器の組立工程を示す説明図である。
【図１１】本発明の包装容器の他の実施形態を上面板を回動して示す斜視図である。
【図１２】図１１の包装容器の展開図である。
【図１３】本発明の包装容器のもう一つの実施形態を上面板を回動して示す斜視図である。
【図１４】図１３の包装容器の展開図である。
【図１５】図１３の包装容器の組立工程を示す説明図である。
【発明を実施するための形態】
【００１８】
以下、本発明の実施の形態を図面に基づいて説明する。
【００１９】
図１乃至図４には、本発明の包装容器１の一実施形態が示されている。
【００２０】
この包装容器１は、タブレット状のガムを収容するものであり、コートボールを図５に示す展開図にしたがって打ち抜いた後、折り目に沿って折り込むこととともに、所定部分を貼着して組み立てられる。そして、包装容器１にガムを収容して適宜包装した後、出荷される。
【００２１】
この包装容器１は、図５の展開図において、背面板２の左端縁に、右側面板３、正面板４、左側面板５、第１糊代６、内方側面板７および第２糊代８が折り目ａ，ｂ，ｃ，ｄ，ｅ，ｆを介して順に連設される一方、背面板２の上端縁に上面板９および係止板１０が折り目ｇ，ｈを介して順に連設されるとともに、背面板２の下端縁にフラップ１１が折り目ｉを介して連設され、また、右側面板３の下端縁に下面板１２が折り目ｊを介して連設され、さらに、正面板４の上端縁に被係止片１３が折り目ｋを介して連設されるとともに、正面板４の下端縁にフラップ１１が折り目ｉを介して連設され、また、左側面板５の上下各端縁にそれぞれ上下の糊代１４が折り目ｍを介して連設され、さらにまた、内方側面板７の上端縁に内方上面板１５が折り目ｎを介して連設され、また、上面板９の左右各端縁にそれぞれ接続板１６が折り目ｐを介して連設されて構成されている。
【００２２】
そして、右側面板３の上端縁部には、弓形状の切欠部３ａが形成される一方、正面板４の上端縁近傍には、正面板４の幅（折り目ｂ，ｃ間の距離）よりも若干小さな幅の方形の取出口４ｘが形成されている。また、内方側面板７には、上下方向略中間部およびその下方において、第１糊代６との折り目ｅから折り目ｆにかけて左右方向に延びる上下一対の切れ目ｑ，ｑが形成されるとともに、これらの上下一対の切れ目ｑ，ｑ間において、左右方向右寄り端部が折り目ｅとの間で切除されている。
【００２３】
さらに、接続板１６には、上面板９と係止板１０との折り目ｈに連続する折り目ｒを介して係止片１７が連設され、また、左側面板５の上端縁に連設された上糊代１４の上端縁部には、弓形状の切欠部１４ａが形成されている。また、内方側面板７および内方上面板１５には、それらの折り目ｎ上に共通の弦を有する弓形状の開口部７ａ，１５ａが形成されている。
【００２４】
ここで、内方側面板７の弓形状の開口部７ａの曲率半径は、右側面板３の上端縁部に形成された弓形状の切欠部３ａの曲率半径よりも小さく設定され、内方上面板１５の弓形状の開口部１５ａの曲率半径は、左側面板５の上端縁に連設された上糊代１４の弓形状の切欠部１４ａの曲率半径と一致するように設定されている。
【００２５】
また、第１糊代６の幅（折り目ｄ，ｅ間の距離）は、第２糊代８の幅（折り目ｆおよび第２糊代８の側端縁間の距離）よりも若干大きく、正面板４の幅（折り目ｂ，ｃ間の距離）よりも若干小さく設定されている。一方、第２糊代８は、上端部が正面板４の取出口４ｘを閉鎖しないように切除されている。
【００２６】
また、各係止片１７は、折り目ｈと折り目ｐとの交点から斜め外方に延びる斜辺と、上端縁から下方に向けて延びる縦辺によって切り欠かれており、係止板１０の左右各側端縁から各係止片１７の上端縁から下方に延びる縦辺までの距離δは、被係止片１３の高さ（折り目ｋおよび被係止片１３の上端縁間の距離）に略一致している。さらに、各係止片１７の折り目ｒの距離は、係止板１０の高さ（折り目ｈおよび係止板１０の上端縁間の距離）にほぼ等しく、これらの距離は、正面板４の取出口４ｘを十分に覆う長さ、具体的には、折り目ｋおよび取出口４ｘの下端縁間の距離よりも若干大きく設定されている。
【００２７】
また、内方側面板７と第２糊代８との折り目ｆは、切れ目ｑとの交点において段差が形成されている。具体的には、折り目ｆの上端縁から上方の切れ目ｑまでの上折り目ｆ１および下端縁から下方の切れ目ｑまでの下折り目ｆ２と、切れ目ｑ，ｑ間の中折り目ｆ３とは、設定間隔をおいて平行に形成され、切れ目ｑ，ｑは、折り目ｆの上折り目ｆ１および下折り目ｆ２との交点を越えて、中折り目ｆ３との交点まで延設されている。したがって、折り目ｅから折り目ｆの上折り目ｆ１および下折り目ｆ２までの距離が、折り目ｅから折り目ｆの中折り目ｆ３までの距離よりも若干小さく設定されている。
【００２８】
次に、このように構成された包装容器１の組み立て手順について説明する。
【００２９】
まず、図５の展開図にしたがってコートボールを打ち抜くとともに、裏面が上面を向くように反転させた後  内方側面板７を第２糊代８とともに第１糊代６に対して折り目ｅに沿って谷折りし（図６参照）、第２糊代８の表面に接着剤を塗布した後、左側面板５および第１糊代６を内方側面板７および第２糊代８とともに正面板４に対して折り目ｃに沿って谷折りし、第２糊代８を正面板４の裏面に貼着する（図７参照）。
【００３０】
次いで、第１糊代６の表面に接着剤を塗布した後、背面板２を右側面板３に対して折り目ａに沿って谷折りし、背面板２の裏面を第１糊代６の表面に貼着する（図８参照）。
【００３１】
この後、背面板２が下面に位置するように配置し、右側面板３を背面板２に対して折り目ａに沿って起立させることにより、長手方向の両端が開口された包装容器１が形成される。この際、第１糊代６の幅が背面板２および正面板４の幅よりも小さく設定されているため、内方側面板７が右側面板３との間に背面板２および正面板４の幅と第１糊代６の幅との差に相当する間隔をおいて配設される。
【００３２】
次いで、包み紙１００（図２参照）を内方側面板７と右側面板３との間に形成された空間に差し込んで収容する。ここで、内方側面板７は、正面板４に貼着された第２糊代８との折り目ｆの上折り目ｆ１および下折り目ｆ２と中折り目ｆ３とに段差を有することにより、正面板４に貼着された第２糊代８を内方側面板７に対して折り目ｆの上折り目ｆ１および下折り目ｆ２に沿って谷折りすると、内方側面板７の上下の切れ目ｑ，ｑで区画された部分が弾性によって第２糊代８に連続する平面に戻ろうとする復元力が作用し、その先端縁が右側面板３の裏面に接触するとともに、その際、折り目ｆの中折り目ｆ３に沿って山折りされることになる（図３、図４参照）。このため、内方側面板７と右側面板３との空間に収容された包み紙１００は、その下端縁が内方側面板７の上下一対の切れ目ｑ，ｑで区画された部分の上端縁に支持される結果、それ以上の落下が阻止される。
【００３３】
なお、包み紙１００の大きさは、右側面板３の幅よりも若干小さな横寸法と、内方側面板７の上半部の高さ、すなわち、内方上面板１５と内方側面板７との折り目ｎおよび内方側面板７の上方の切れ目ｑ間の距離よりも若干小さな縦寸法に形成されている。したがって、包み紙１００を内方側面板７と右側面板３との空間に収容した場合、その上端部表面側が右側面板３の切欠部３ａを通して露出されるとともに、背面側が内方側面板７の開口部７ａおよび内方上面板１５の開口部１５ａを通して露出される。
【００３４】
包み紙１００が挿入されたならば、上糊代１４を左側面板５に対して折り目ｍに沿って谷折りし、その表面に接着剤を塗布した後、内方上面板１５を内方側面板７に対して折り目ｎに沿って谷折りし、上糊代１４に貼着する（図９参照）。次いで、被係止片１３を正面板４に対して折り目ｋに沿って谷折りする一方、各係止片１７を各接続板１６に対して折り目ｒに沿ってそれぞれ谷折りするとともに、上面板９に対して各接続板１６を折り目ｐに沿ってそれぞれ谷折りし、さらに、上面板９を背面板２に対して折り目ｇに沿って谷折りする。
【００３５】
この場合、図１０に示すように、各係止片１７の切り欠かれた鉛直な内端縁が被係止片１３の先端縁に略当接する状態で、各係止片１７が正面板４の取出口４ｘを覆うように載置される。この後、正面板４に載置された各係止片１７の表面に接着剤を塗布し、係止板１０を上面板９に対して折り目ｈに沿って谷折りし、各係止片１７に係止板１０を貼着する。
【００３６】
その後、上面板９が下面に位置するように包装容器１を倒立させ、下面板１２側開口部を通して設定個数のガムを供給する。次いで、各フラップ１１を背面板２および正面板４に対して折り目ｉに沿ってそれぞれ谷折りした後、下糊代１４を左側面板５に対して折り目ｍに沿って谷折りするとともに、その表面に接着剤を塗布し、下面板１２を右側面板３に対して折り目ｊに沿って谷折りし、下面板１２を下糊代１４に貼着する。これにより、内部にガムが収容された包装容器１が形成される。この後、詳細には図示しないが、包装容器１はフィルムで包装されて出荷される。
【００３７】
一方、店頭にてガムを購入した消費者はフィルムを剥離した後、左右の接続板１６を把持して引き上げることにより、係止板１０および上面板９を背面板２に対して折り目ｇに沿って回動させ、正面板４の取出口４ｘを開放させることができる（図２参照）。次いで、正面板４を下面側に配置して下面板１２側を上方に持ち上げるように包装容器１を傾ければ、正面板４に形成された取出口４ｘを通してガムを取り出すことができる。この際、取出口４ｘは、正面板４の幅よりも小さく形成され、取出口４ｘを通して流出するガムの個数が制限されるため、適数個のガムを取り出すことができる。
【００３８】
また、包装容器１における正面板４の取出口４ｘは、係止板１０によって閉鎖されるとともに、係止板１０の内面に貼着された各係止片１７の内端縁が被係止片１３の先端縁に係止されており、係止板１０、すなわち、係止板１０に連設された上面板９の意図しない開き出しが規制される。一方、係止板１０を引き上げると、その内面に貼着された係止片１７の内端縁が被係止片１３の先端縁に係止して被係止片１３を立ち上げつつ弾性変形させることにより、被係止片１３を乗り越えることができ、係止板１０に連設された上面板９を回動させることができる。
【００３９】
ガムを取り出した後、正面板４の取出口４ｘを閉鎖する場合は、上面板９を押し下げることにより、上面板９と一体の係止板１０が、該係止板１０の内面に貼着された係止片１７とともに被係止片１３を押し倒して、被係止片１３を乗り越える。このため、被係止片１３の先端に、係止板１０の内面に貼着された係止片１７の内端縁が係止し、係止板１０の開き出しを規制するとともに、係止板１０が正面板４の取出口４ｘを閉鎖することができる。
【００４０】
一方、前述したように、ガムを取り出すため、係止板１０を引き上げて正面板９の取出口４ｘを開放すれば、内方側面板７と右側面板３との空間に収容された包み紙１００は、その表面側が右側面板３の切欠部３ａを通して露出されるとともに、背面側が内方側面板７の開口部７ａおよび内方上面板１５の開口部１５ａを通して露出されることから、包み紙１００の存在を把握することができる。これにより、包み紙１００の上端部表面側およびその背面側を指先で摘んで外方に引き出すことができる。あるいは、右側面板３の切欠部３ａを通して露出された包み紙１００に指先をあてがい、接触摩擦を利用して引き出すことができる。
【００４１】
この結果、ガムの噛みかすを廃棄する場合は、包装容器１に収容されている包み紙１００を取り出してガムの噛みかすを包み紙１００を利用して包み込むことができる。したがって、ガムの噛みかすを包み紙１００に包み込んで廃棄することができ、これにより、ガムの噛みかすのポイ捨てによって周囲の景観を損ねることもない。
【００４２】
ところで、図１１および図１２には、本発明の包装容器１の他の実施形態が示されている。
【００４３】
この包装容器１は、ガムの取出口を上面板側に形成した以外、先に説明した実施形態の包装容器１と同様であるため、同一の部材には同一の符号を付してその詳細な説明を省略し、主に相違する部分について説明する。
【００４４】
この包装容器１も、図１２の展開図において、背面板２の左端縁に、右側面板３、正面板４、左側面板５、第１糊代６、内方側面板７および第２糊代８が折り目ａ，ｂ，ｃ，ｄ，ｅ，ｆを介して順に連設される一方、背面板２の上端縁に上面板９および係止板１０が折り目ｇ，ｈを介して順に連設されるとともに、背面板２の下端縁にフラップ１１が折り目ｉを介して連設され、また、右側面板３の下端縁に下面板１２が折り目ｊを介して連設され、さらに、正面板４の上端縁に被係止片１３が折り目ｋを介して連設されるとともに、正面板４の下端縁にフラップ１１が折り目ｉを介して連設され、また、左側面板５の上下各端縁にそれぞれ上下の糊代１４が折り目ｍを介して連設され、さらにまた、内方側面板７の上端縁に内方上面板１５が折り目ｎを介して連設され、また、上面板９の左右各端縁にそれぞれ接続板１６が折り目ｐを介して連設されて構成されている。
【００４５】
ここで、上糊代１４および内方上面板１５は、幅が左右の側面板３，５の幅の略半分の長さに設定されており、上糊代１４に内方上面板１５を貼着した際、左右の側面板３，５、背面板２および正面板４によって形成される上面板側開口部における正面板４側にその開口面積の略半分の大きさの取出口９ｘ（図１１参照）が形成される。
【００４６】
また、内方側面板７の上端部には、内方上面板１５の側端縁に連続して一定高さにわたる切欠部７ｂが形成されている。これにより、内方側面板７の切欠部７ｂを通して包み紙１００の背面側が露出され、該切欠部７ｂおよび右側面板３の切欠部３ａを通して包み紙１００の背面側および表面側を確実に摘み上げることができる。
【００４７】
なお、この包装容器１を組み立てる場合も、先に図６乃至図１０に示した包装容器１の組立と同様に作業すればよい。すなわち、詳細には図示しないが、図１２の展開図にしたがってコートボールを打ち抜くとともに、裏面が上面を向くように反転させた後、内方側面板７を第２糊代８とともに第１糊代６に対して折り目ｅに沿って谷折りし、第２糊代８の表面に接着剤を塗布した後、左側面板５および第１糊代６を内方側面板７および第２糊代８とともに正面板４に対して折り目ｃに沿って谷折りし、第２糊代８を正面板４の裏面にを貼着する。次いで、第１糊代６の表面に接着剤を塗布した後、背面板２を右側面板３に対して折り目ａに沿って谷折りし、背面板２の裏面を第１糊代６の表面に貼着する。
【００４８】
この後、背面板２が下面に位置するように配置し、右側面板３を背面板２に対して折り目ａに沿って起立させた後、包み紙１００を内方側面板７と右側面板３との間に形成された空間に差し込んで収容する。この際、包み紙１００は、その下端縁が内方側面板７の下半部における上下一対の切れ目ｑ，ｑに区画された部分の上端縁に支持される。
【００４９】
包み紙１００が挿入されたならば、上糊代１４を左側面板５に対して折り目ｍに沿って谷折りし、その表面に接着剤を塗布した後、内方上面板１５を内方側面板７に対して折り目ｎに沿って谷折りし、上糊代１４に貼着する。次いで、被係止片１３を正面板４に対して折り目ｋに沿って谷折りする一方、各係止片１７を各接続板１６に対して折り目ｒに沿ってそれぞれ谷折りするとともに、上面板９に対して各接続板１６を折り目ｐに沿ってそれぞれ谷折りし、さらに、上面板９を背面板２に対して折り目ｇに沿って谷折りすることにより、各係止片１７の切り欠かれた鉛直な内端縁が被係止片１３の先端縁に略当接する状態で、各係止片１７が正面板４上に載置される。この後、正面板４に載置された各係止片１７の表面に接着剤を塗布し、係止板１０を上面板９に対して折り目ｈに沿って谷折りし、各係止片１７に係止板１０を貼着する。
【００５０】
その後、上面板９が下面に位置するように包装容器１を倒立させ、下面板１２側開口部を通して設定個数のガムを供給し、次いで、各フラップ１１を背面板２および正面板４に対して折り目ｉに沿ってそれぞれ谷折りした後、下糊代１４を左側面板５に対して折り目ｍに沿って谷折りするとともに、その表面に接着剤を塗布し、下面板１２を右側面板３に対して折り目ｊに沿って谷折りし、下面板１２を下糊代１４に貼着する。これにより、内部にガムが収容された包装容器１が形成される。
【００５１】
さらに、図１３乃至図１５には、本発明の包装容器１のもう一つの実施形態が示されている。
【００５２】
この包装容器１は、背面板２に連設した外方側面板１８を利用して一方の接続板を形成するとともに、包み紙１００の支持構造が若干相違する以外、先に説明した実施形態の包装容器１と同様であり、同一の部材には同一の符号を付してその詳細な説明を省略し、主に相違する部分について説明する。
【００５３】
この包装容器１は、図１４の展開図において、背面板２の右端縁に外方側面板１８が折り目ｓを介して連設されるとともに、この外方側面板１８の上部には、その上端縁とともに接続板１６に対応する形状の切り裂き目ｔが形成されており、後述するように、一方の接続板１６を区画形成することができる。そして、外方側面板１８の上端縁には、折り目ｐを介して上面板９が連設されるとともに、外方側面板１８の下端縁には、下面板１２が折り目ｕを介して連設されている他、外方側面板１８の側端縁上部に折り目ｒを介して係止片１７が連設されている。また、背面板２の上端縁には糊代１９が折り目ｖを介して連設されている。
【００５４】
なお、外方側面板１８の上端縁に連設された上面板９には、同様に係止板１０および他方の接続板１６がそれぞれ連設されるとともに、他方の接続板１６に係止片１７が連設されている。また、右側面板３の下端縁には、左側面板５の下端縁に連設された下糊代１４に代えて下糊代１４が折り目ｊを介して連設されている。
【００５５】
さらに、内方側面板７には、上下方向略中間部において、第１糊代６との折り目ｅから折り目ｆにかけて左右方向に延びる切れ目ｑが形成されるとともに、この切れ目ｑによって区画された内方側面板７の下半部における左右方向右寄り端部が折り目ｅとの間で切除されている。
【００５６】
ここで、内方側面板７と第２糊代８との折り目ｆは、切れ目ｑとの交点において段差が形成されている。すなわち、折り目ｆの上端縁から切れ目ｑまでの上部折り目ｆ４と、切れ目ｑから下端縁までの下部折り目ｆ５とは、設定間隔をおいて平行に形成され、切れ目ｑは、折り目ｆの上部折り目ｆ４との交点を越えて下部折り目ｆ５との交点まで延設されている。したがって、折り目ｅから折り目ｆの上部折り目ｆ４までの距離が、折り目ｅから折り目ｆの下部折り目ｆ５までの距離よりも若干小さく設定されている。
【００５７】
なお、この包装容器１を組み立てる場合も、先に図６乃至図１０に示した包装容器１の組立と同様に作業すればよい。すなわち、詳細には図示しないが、図１４の展開図にしたがってコートボールを打ち抜くとともに、裏面が上面を向くように反転させた後、内方側面板７を第２糊代８とともに第１糊代６に対して折り目ｅに沿って谷折りし、第２糊代８の表面に接着剤を塗布した後、左側面板５および第１糊代６を内方側面板７および第２糊代８とともに正面板４に対して折り目ｃに沿って谷折りし、第２糊代８を正面板４の裏面にを貼着する。次いで、第１糊代６の表面および左側面板５の略下半部に接着剤を塗布した後、背面板２を外方側面板１８とともに右側面板３に対して折り目ａに沿って谷折りし、背面板２の裏面を第１糊代６の表面に、外方側面板１８の裏面を左側面板５の表面にそれぞれ貼着する。
【００５８】
この後、背面板２が下面に位置するように配置して右側面板３を背面板２に対して折り目ａに沿って起立させた後、包み紙１００を内方側面板７と右側面板３との間に形成された空間に差し込んで収容する。この際、包み紙１００は、その下端縁が内方側面板７に形成された切れ目ｑによって区画された略下半部の上端縁に支持される。
【００５９】
包み紙１００が挿入されたならば、上糊代１４を左側面板５に対して折り目ｍに沿って谷折りし、その表面に接着剤を塗布した後、内方上面板１５を内方側面板７に対して折り目ｎに沿って谷折りし、上糊代１４に貼着する（図１５参照）。次いで、糊代１９を背面板２に対して折り目ｖに沿って谷折りするとともに、その表面に接着剤を塗布した後、被係止片１３を正面板４に対して折り目ｋに沿って谷折りする一方、上面板９を外方側面板１８に対して折り目ｐに沿って谷折りし、その裏面を糊代１９に貼着する。さらに、上面板９に対して他方の接続板１６を折り目ｐに沿って谷折りして右側面板３の表面に重ねた後、各係止片１７を他方の接続板１６および外方側面板１８に対して折り目ｒに沿ってそれぞれ谷折りすることにより、各係止片１７の切り欠かれた内端縁が被係止片１３の先端縁に略当接する状態で、各係止片１７が正面板４に載置される。この後、正面板４上に載置された各係止片１７の表面に接着剤を塗布し、係止板１０を上面板９に対して折り目ｈに沿って谷折りし、各係止片１７に係止板１０を貼着する。
【００６０】
その後、上面板９が下面に位置するように包装容器１を倒立させ、下面板１２側開口部を通して設定個数のガムを供給し、次いで、各フラップ１１を背面板２および正面板４に対して折り目ｉに沿ってそれぞれ谷折りした後、下糊代１４を右側面板３に対して折り目ｊに沿って谷折りするとともに、その表面に接着剤を塗布し、下面板１２を外方側面板１８に対して折り目ｕに沿って谷折りし、下面板１２を下糊代１４に貼着する。これにより、内部にガムが収容された包装容器１が形成される。
【００６１】
一方、ガムを購入した消費者が右側の接続板１６および外方側面板１８の上端部を把持して引き上げれば、外方側面板１８は、切り裂き目ｔに沿って切り裂かれ、係止片１７を介して一体に貼着された係止板１０とともに上方に移動し、接続板１６として切り離される。この際、切り離された接続板１６は、折り目ｐを介して上面板９に連設されるとともに、上面板９が背面板２に連設された糊代１９に貼着されていることにより、上面板９、左右の接続板１６および係止板１０は一体となって背面板２に対して折り目ｖに沿って回動し、正面板４の取出口４ｘを開放させることができ、この取出口４ｘを通して適数個のガムを取り出すことができる。
【００６２】
この実施形態において、上糊代１４および内方上面板１５の幅を、左右の側面板３，５の幅の略半分の長さに設定し、上糊代１４に内方上面板１５を貼着した際、左右の側面板３，５、背面板２および正面板４によって形成される上面板側開口部における正面板４側にその開口面積の略半分の大きさの取出口９ｘ（図１１参照）を形成するようにしてもよい。
【００６３】
この際、内方側面板７の上端部に切欠部７ｂを形成し、この切欠部７ｂを通して包み紙１００の背面側を露出させて摘み上げるようにすればよい。
【００６４】
なお、前述した実施形態においては、右側面板３との間に包み紙１００の収容空間を形成するように内方側面板７を配設する場合を説明したが、左側面板５との間に包み紙１００の収容空間を形成するように内方側面板７を配設してもよい。その場合は、右側面板３に上糊代を連設するとともに、内方側面板７に内方上面板１５を連設し、両者を貼着すればよい。
【００６５】
また、上糊代１４および内方上面板１５を貼着することで上面板側開口部を閉鎖したり、取出口を残して上面板側開口部を閉鎖する場合を例示したが、内方上面板１５の上端縁に差し込みフラップを連設する一方、上糊代１４と左側面板５との折り目ｍに差し込みフラップに対応する切れ目を形成し、内方上面板１５の差し込みフラップを切れ目に差し込んで内方上面板１５を連結するようにしてもよい。
【００６６】
この場合、上糊代１４を省略するとともに、差し込みフラップを設けた内方上面板１５を左側面板５（左側面板５との間に包み紙１００の収容空間を形成する場合は右側面板３）または内方側面板７に連設し、差し込みフラップを有する内方上面板１５のみによって上面板側開口部を閉鎖し、または、取出口を残して上面板側開口部を閉鎖することもできる。
【符号の説明】
【００６７】
１  包装容器
２  背面板
３，５  側面板
４  正面板
４ｘ，９ｘ  取出口
６，８，１４，１９  糊代
７  内方側面板
９  上面板
１０  係止板
１２  下面板
１３  被係止片
１５  内方上面板
１６  接続板
１７  係止片
１８  外方側面板
１００  包み紙
ａ，ｂ，ｃ，ｄ，ｅ，ｆ，ｆ１，ｆ２，ｇ，ｈ，ｊ，ｋ，ｎ，ｐ，ｒ，ｓ，ｕ，ｖ  折り目
ｑ  切れ目
ｔ  切り裂き目
【図１】
2010228769.tif 000003
【図２】
2010228769.tif 000004
【図３】
2010228769.tif 000005
【図４】
2010228769.tif 000006
【図５】
2010228769.tif 000007
【図６】
2010228769.tif 000008
【図７】
2010228769.tif 000009
【図８】
2010228769.tif 000010
【図９】
2010228769.tif 000011
【図１０】
2010228769.tif 000012
【図１１】
2010228769.tif 000013
【図１２】
2010228769.tif 000014
【図１３】
2010228769.tif 000015
【図１４】
2010228769.tif 000016
【図１５】
2010228769.tif 000017